(57)【要約】【課題】一括送信を指定して蓄積した原稿のうち、任意のものを後から抜き出して送信することのできる通信端末装置を提供する。【解決手段】一括送信ボックスＦに蓄積された複数組の原稿を一覧表示する原稿一覧表示手段Ｄと、この原稿一覧表示手段Ｃにより表示された原稿のうちから、任意の原稿を指定する送信原稿指定手段Ｅと、この送信原稿指定手段Ｅによって指定された原稿を、設定された一括送信に優先して個別送信する原稿個別送信手段Ａとを備えている。【選択図】図１
2007081605.tif 000002
【特許請求の範囲】
【請求項１】
予め宛先の指定された複数組の原稿を、一括して送信する一括送信機能を備える通信端末装置において、一括送信ボックスに蓄積された複数組の原稿を一覧表示する原稿一覧表示手段と、この原稿一覧表示手段により表示された原稿のうちから、任意の原稿を指定する送信原稿指定手段と、この送信原稿指定手段によって指定された原稿を、設定された一括送信に優先して個別送信する原稿個別送信手段とを備えている通信端末装置。
【請求項２】
請求項１において、
上記原稿個別送信手段は、上記指定された原稿を個別に送信した後は、当該原稿を一括送信から自動的に削除することを特徴とする通信端末装置。
【請求項３】
請求項１または２において、
上記送信原稿指定手段によって指定された原稿を個別に送信する前に、その原稿についての情報を表示させるプレビュー表示手段を更に備えたことを特徴とする通信端末装置。
【発明の詳細な説明】
【技術分野】
【０００１】
本発明は、一括送信機能を備えた通信端末装置の改良に関する。
【背景技術】
【０００２】
近時、下記特許文献１に示すような一括送信機能を備えた通信端末装置が広く使用されており、このような通信端末装置では、予め送信先、送信時刻などの送信条件を指定し、複数の原稿を読み取り、一括送信ボックスに格納しておくと、送信条件を充たしたときに、読み取った原稿を一括して送信できるようになっている。
【特許文献１】特開２００２−２８１２６６号公報
【発明の開示】
【発明が解決しようとする課題】
【０００３】
しかしながら、このような通信端末装置では、送信条件を設定して、一括送信ボックスに格納された原稿は、後から一部の原稿を抜き出して個別に送信することができず、そのような場合、必要な原稿を再度読み取り個別に送信してから、一括送信ボックスに格納されているすべての原稿を消去して、一括送信の設定をし直しするか、一括送信ボックスのうちから個別に送信した原稿を消去するなどの方策しかなく不便であった。
【０００４】
本発明は、このような問題を解決するために提案され、一括送信ボックスに一旦格納された原稿を任意に抜き出して送信することのできる通信端末装置を提供することを目的とする。
【課題を解決するための手段】
【０００５】
上記目的を達成するため、本発明の請求項１では、一括送信ボックスに蓄積された複数組の原稿を一覧表示する原稿一覧表示手段と、この原稿一覧表示手段により表示された原稿のうちから、任意の原稿を指定する送信原稿指定手段と、この送信原稿指定手段によって指定された原稿を、設定された一括送信に優先して個別送信する原稿個別送信手段とを備えている。
【０００６】
請求項２では、原稿個別送信手段は、上記指定された原稿を個別に送信した後は、当該原稿を一括送信から自動的に削除することを特徴とする。
【０００７】
請求項３では、送信原稿指定手段によって指定された原稿を個別に送信する前に、その原稿についての情報を表示させるプレビュー表示手段を更に備えたことを特徴とする。
【発明の効果】
【０００８】
本発明によれば、以下の効果を奏する。
【０００９】
請求項１によれば、一括送信ボックスに格納された原稿のうちから、任意のものを抜き出して個別に送信することができる。
【００１０】
請求項２によれば、請求項１によって個別送信された原稿は、一括送信ボックスより自動削除されるため、重複して送信されることがない。
【００１１】
請求項３によれば、個別に抜き出した原稿を、送信前にプレビュー表示し、内容を確認してから送信できる。
【発明を実施するための最良の形態】
【００１２】
以下に、本発明の実施の形態について説明する。
【実施例１】
【００１３】
図１は、本発明の通信端末装置の要部構成の一例を示すブロック図である。
【００１４】
この通信端末装置１は、一括送信ボックスＦに蓄積された複数組の原稿のうち、送信原稿指定手段Ｅによって指定された原稿を設定された一括送信に優先して個別送信する原稿個別送信手段Ａ、原稿読取手段Ｂ、一括送信ボックスＦに蓄積された原稿を一覧表示する原稿一覧表示手段Ｃ、プレビュー表示手段Ｄ、一括送信ボックスＦに蓄積された原稿のうちから個別送信すべき任意の原稿を指定する送信原稿指定手段Ｅ、一括送信ボックスＦを備えており、それぞれの手段の構成と機能については後述する。
【００１５】
図２は、このような通信端末装置１の具体的な構成の一例を示すブロック図である。ここでは通信端末装置の一例としてファクシミリ装置Ｆａ（１）を示しているが、この例には限られず、予め宛先の指定された複数組の原稿を、一括して送信する一括送信機能を備えるものであればよい。
【００１６】
このファクシミリ装置Ｆａ（１）は、原稿個別送信手段Ａを構成し、この装置Ｆａ（１）を制御するＣＰＵ１０、電話回線Ｌに対する接続制御を行うＮＣＵ１１、ファクシミリ通信に必要な各種信号の変復調を行うモデム１２、短縮ダイヤルなどを登録するＲＡＭ１３、この装置１が動作するのに必要な各種プログラムを記憶するＲＯＭ１４、原稿読取手段Ｂを構成し、セットされた原稿を読み取り、画像データを形成するスキャナ１５、予め宛先の指定された複数組の原稿を、一括して送信するための一括送信ボックスＦを有し、画像データを一時格納する画像メモリ１６、一括送信ボックスＦに蓄積された複数組の原稿を一覧表示する原稿一覧表示手段Ｃと、個別送信する原稿についてその情報（原稿画像の一部、縮小画像など）をプレビュー表示するプレビュー表示手段Ｄとを構成する表示部１７、一覧表示された複数組の原稿のうち任意の原稿を指定する送信原稿指定手段Ｅを構成する操作部１８、プリンタ１９、演算処理装置をネットワークを介して接続するインタフェース２０を備えており、一括送信ボックスＦには、後述する操作によって宛先や送信時刻が指定され、スキャナ１５によって読み取られた複数組の原稿の画像データが順次読取走査され、登録されるようになっている。
【００１７】
図３は、一括送信原稿の登録処理の基本動作を示すフローチャートである。
【００１８】
図とともに説明すると、操作部１７の所定の操作により、一括送信原稿登録の登録モードが指令されると、ＣＰＵ１０は、一括送信原稿登録モードを実行する。すなわち、操作部１７の操作により、宛先、送信時刻が指定され、読み取り指令がなされると、スキャナ１４によって原稿が順次読み取られ、読み取られた画像データが、指定した宛先とともに一括送信ボックスＦに蓄積される、
本発明では、このようにして、一括送信ボックスＦに蓄積された原稿のうち、任意のものを抜き出して個別に送信することができる。
【００１９】
以降に、本発明の構成を具体的に記述する。これについて、図４のフローチャート、図５の画面遷移図とともに説明する。
【００２０】
すなわち、操作部１７の操作により、一括送信機能が指令されると、ＣＰＵ１０は、表示部１７に、一括送信機能受付画面を表示する（図５（ａ）参照）。
【００２１】
ついで、その一括送信機能受付画面において選択送信ボタン１８Ｃが操作されると、画面は図５（ｂ）に移る。この画面では、すでに登録されている複数の一括送信ボックス（月報１、月報２など）が表示されているので、いずれかの一括送信ボックスの選択ボタン１８Ｄ…を操作して選択すると、図５（ｃ）に示すような送信原稿一覧画面が表示される、
この一覧画面には、一括送信ボックスに登録した複数の画像データＦ１，Ｆ２の識別情報、ここでは、登録年月日が表示されている。そこで、任意の画像データＦ１，Ｆ２…を選択し、ＯＫボタン１８Ｅを操作すれば、選択された原稿が、予め一括送信で登録された宛先に送信され、送信後は、その原稿のみが一括送信ボックスＦより削除される。
【００２２】
指定された原稿は、電話回線Ｌを通じたファクシミリ送信、ネットワークを通じて演算処理装置ＰＣに送信できる。なお、このような個別送信を実行する前に、所定の操作ボタンを押すなどして、選択された原稿の画像データを特定する情報、例えば、画像データの蓄積時刻、発送予定時刻、送信先ＦＡＸ番号などの書誌的情報の他、原稿画像の一部や、それらの縮小画像を表示部１７に表示するようにしてもよく、プレビュー表示手段Ｄは、このようにして、個別送信のために選択された原稿を特定する情報を表示するプレビュー表示機能を実行する。
【００２３】
また、この実施例では、一括送信ボックスＦを月報１ボックス、月報２ボックスというように、更に細分化しボックス分けしているが、この例に限られない。
【００２４】
また、図５（ａ）において、１８Ａは登録ボタン、１８Ｂは削除ボタンを示しており、登録ボタン１８Ａを操作すれば、図３に示す一括送信原稿登録モードが開始され、一括送信に必要な情報を登録し、原稿画像の読み取りを実行する一方、削除ボタン１８Ｂを操作すれば、図３に示す一括送信原稿登録処理で登録した原稿のうち、任意の原稿を選択し、消去させることが出来る。
【図面の簡単な説明】
【００２５】
【図１】本発明の通信端末装置の要部構成の一例を示す図
【図２】本発明の通信端末装置の具体的な構成の一例を示す図
【図３】一括送信ボックスヘの登録手法を説明する図
【図４】本発明の通信端末装置の基本動作を説明するためのフローチャート
【図５】個別送信の際の画面遷移の一例を示す図
【符号の説明】
【００２６】
１  通信端末装置
Ａ  原稿個別送信手段
Ｃ  原稿一覧表示手段
Ｄ  プレビュー表示手段
Ｅ  送信原稿指定手段
Ｆ  一括送信ボックス
【図１】
2007081605.tif 000003
【図２】
2007081605.tif 000004
【図３】
2007081605.tif 000005
【図４】
2007081605.tif 000006
【図５】
2007081605.tif 000007